(57)【特許請求の範囲】
【請求項１】
フェース部、クラウン部、ソール部、サイド部およびホゼル部を備えた中空ゴルフクラブヘッドにおいて、
ヘッド体積が１００〜２５０ｃｍ３、ヘッド質量が１９５〜２５０ｇであり、
前記クラウン部は、周縁部に全周にわたるクラウン厚肉部を有するとともに、前記クラウン厚肉部の内側に該クラウン厚肉部よりも厚みの薄いクラウン薄肉部を有し、
前記ソール部は、フェース側にフェース側ソール厚肉部、バック側にバック側ソール厚肉部を有するとともに、前記フェース側ソール厚肉部および前記バック側ソール厚肉部以外の部分にこれら両厚肉部よりも厚みの薄いソール薄肉部を有し、
前記サイド部は、ヒール側にヒール側サイド薄肉部、トウ側にトウ側サイド薄肉部を有するとともに、前記ヒール側サイド薄肉部および前記トウ側サイド薄肉部以外の部分にこれら両薄肉部よりも厚みの厚いサイド厚肉部を有し、
前記ソール部の剛性は、前記クラウン部の剛性および前記サイド部の剛性より高いことを特徴とするゴルフクラブヘッド。
【請求項２】
前記クラウン厚肉部の厚みは０．６５〜５．０ｍｍ、前記クラウン薄肉部の厚みは０．１〜０．６５ｍｍであることを特徴とする請求項１に記載のゴルフクラブヘッド。
【請求項３】
前記ヒール側サイド薄肉部の厚みは０．１〜０．６５ｍｍ、前記トウ側サイド薄肉部の厚みは０．１〜０．６５ｍｍ、前記サイド厚肉部の厚みは０．６５〜５．０ｍｍであることを特徴とする請求項１または２に記載のゴルフクラブヘッド。
【請求項４】
前記フェース側ソール厚肉部の厚みは０．７〜１０．０ｍｍであることを特徴とする請求項１〜３のいずれか１項に記載のゴルフクラブヘッド。
【請求項５】
前記バック側ソール厚肉部の厚みは０．７〜１０．０ｍｍであることを特徴とする１〜４のいずれか１項に記載のゴルフクラブヘッド。
【請求項６】
前記サイド部は、前記サイド厚肉部のバック側に厚みが該サイド厚肉部の他の部分よりも厚いサイド加重厚肉部を有することを特徴とする請求項１〜５のいずれか１項に記載のゴルフクラブヘッド。
【請求項７】
前記サイド加重厚肉部の厚みは０．６５〜１０．０ｍｍであることを特徴とする請求項６に記載のゴルフクラブヘッド。
【請求項８】
前記ソール部に、該ソール部の材料とは比重の異なる材料からなる単数または複数のネジが取り付けられていることを特徴とする請求項１〜７のいずれか１項に記載のゴルフクラブヘッド。
【請求項９】
前記サイド部に、該サイド部の材料とは比重の異なる材料からなる単数または複数のネジが取り付けられていることを特徴とする請求項１〜８のいずれか１項に記載のゴルフクラブヘッド。
【請求項１０】
１つのネジの質量は０．５〜５０ｇであることを特徴とする請求項８または９に記載のゴルフクラブヘッド。
【請求項１１】
前記クラウン部およびサイド部は鋳造法で作製されていることを特徴とする請求項１〜１０のいずれか１項に記載のゴルフクラブヘッド。
【請求項１２】
前記フェース部は、中心部に最大厚みを有する領域を有し、前記最大厚みを有する領域の外側に厚みが漸次薄くなる傾斜部を有することを特徴とする請求項１〜１１のいずれか１項に記載のゴルフクラブヘッド。
【請求項１３】
ヘッド本体にフェース部材をプラズマ溶接で固着することにより作製されていることを特徴とする請求項１〜１２のいずれか１項に記載のゴルフクラブヘッド。
【発明の詳細な説明】
【技術分野】
【０００１】
本発明は、打球の打ち出し角が大きく、飛距離が増大する中空ゴルフクラブヘッドに関する。
【背景技術】
【０００２】
近年、打撃時にフェース部のみならずクラウン部にも弾性変形を生じさせることにより、打球の打ち出し角を大きくして、飛距離の増大を図った中空ゴルフクラブヘッドが提案されている。このようなゴルフクラブヘッドとして、例えば特許文献１〜４に記載されたものがある。
【０００３】
特許文献１のゴルフクラブヘッドは、 フェース部、ソール部、サイド部、クラウン部およびホゼル部を有する金属製の中空ゴルフクラブヘッドにおいて、クラウン部の少なくとも主要部とフェース部とが一体となった鋳造品よりなるフロントパーツと、このフロントパーツ以外の部分が一体となったバックパーツとからなり、上記フロントパーツとバックパーツとが接合されたものである。
【０００４】
特許文献２のゴルフクラブヘッドは、 少なくともフェース部、ソール部、サイド部およびクラウン部を有する金属製の中空ゴルフクラブヘッドにおいて、クラウン部を構成する金属材料が最も縦弾性率が低いものである。
【０００５】
特許文献３のゴルフクラブヘッドは、 フェース部、ソール部、トウ側サイド部、ヒール側サイド部、バック側サイド部、クラウン部およびホゼル部を有する金属製の中空ゴルフクラブヘッドにおいて、クラウン部に、トウ側サイド部からヒール側サイド部に向かって複数本の溝が設けられているものである。
【０００６】
特許文献４のゴルフクラブヘッドは、ボールを打球するフェース面を有するフェース部と、このフェース部の背面に連なりヘッド後方にのびるヘッド本体部とを有し、かつ、ヘッド本体部は、ヘッド上部、ヘッド底部およびヘッド側部をそれぞれ形成するクラウン部、ソール部およびサイド部を含む中空構造のゴルフクラブヘッドであって、上記クラウン部は、上記背面からクラウン奥行き長さＬｃの０．１５倍の距離を隔てる位置までの前方領域をなすクラウン前部と、上記背面からクラウン奥行き長さＬｃの０．３０倍以上かつ１．０倍の後方領域をなすクラウン後部とを含み、かつ、クラウン前部はクラウン後部よりも小さい剛性を有するものである。
【０００７】
【特許文献１】特開２００３−５２８６６号公報
【特許文献２】特開２００３−７９７６８号公報
【特許文献３】特開２００３−８８６０１号公報
【特許文献４】特開２００５−１３７７８８号公報
【発明の開示】
【発明が解決しようとする課題】
【０００８】
しかしながら、特許文献１〜４のゴルフクラブヘッドは、打ち出し角の増大の点でさらなる改良の余地を有するものであった。
【０００９】
本発明は、前述した事情に鑑みてなされたもので、特許文献１〜４に記載された従来の中空ゴルフクラブヘッドに比べて打球の打ち出し角が大きく、飛距離がより増大する中空ゴルフクラブヘッドを提供することを目的とする。
【課題を解決するための手段】
【００１０】
本発明者は、前記目的を達成するために鋭意検討を行った結果、打球の打ち出し角を大きくして飛距離を増大させるためには、ゴルフクラブヘッドの構成部分の厚みを部分的に薄くしたり厚くしたりすることにより、重心位置を最適な位置に設計するとともに、クラウン部を低剛性、ソール部を高剛性にすること、さらにはサイド部を低剛性にすることが有効であることを見出した。
【００１１】
本発明は、上述した知見に基づいてなされたもので、フェース部、クラウン部、ソール部、サイド部およびホゼル部を備えた中空ゴルフクラブヘッドにおいて、
ヘッド体積が１００〜２５０ｃｍ３、ヘッド質量が１９５〜２５０ｇであり、
前記クラウン部は、周縁部に全周にわたるクラウン厚肉部を有するとともに、前記クラウン厚肉部の内側に該クラウン厚肉部よりも厚みの薄いクラウン薄肉部を有し、
前記ソール部は、フェース側にフェース側ソール厚肉部、バック側にバック側ソール厚肉部を有するとともに、前記フェース側ソール厚肉部および前記バック側ソール厚肉部以外の部分にこれら両厚肉部よりも厚みの薄いソール薄肉部を有し、
前記サイド部は、ヒール側にヒール側サイド薄肉部、トウ側にトウ側サイド薄肉部を有するとともに、前記ヒール側サイド薄肉部および前記トウ側サイド薄肉部以外の部分にこれら両薄肉部よりも厚みの厚いサイド厚肉部を有し、
前記ソール部の剛性は、前記クラウン部の剛性および前記サイド部の剛性より高いことを特徴とするゴルフクラブヘッドを提供する。
【００１２】
以下、本発明につきさらに詳しく説明する。本発明において、ゴルフクラブヘッドのソール部とは、フェース部の下部から後方に延びてヘッドの底部を形成する部分をいい、ゴルフクラブヘッドのクラウン部とは、フェース部の上部から後方に延びてヘッドの上部を形成する部分をいい、ゴルフクラブヘッドのサイド部とは、フェース部の上部と下部との間から後方に延びてヘッドの側部を形成する部分をいう。上記サイド部には、トウ側サイド部、ヒール側サイド部およびバック側サイド部が含まれる。
【００１３】
本発明において、クラウン厚肉部の厚みは０．６５〜５．０ｍｍ、特に０．７〜２．０ｍｍ、クラウン薄肉部の厚みは０．１〜０．６５ｍｍ、特に０．３〜０．６ｍｍ、ヒール側サイド薄肉部の厚みは０．１〜０．６５ｍｍ、特に０．３〜０．６ｍｍ、トウ側サイド薄肉部の厚みは０．１〜０．６５ｍｍ、特に０．３〜０．６ｍｍ、サイド厚肉部の厚みは０．６５〜５．０ｍｍ、特に０．７〜２．０ｍｍとすることが好ましい。上記各部の厚みが上記範囲を外れる場合は、十分な打球の打ち出し角が得られないことがある。
【００１４】
また、クラウン厚肉部のフェース−バック方向距離はクラウン部のフェース−バック方向距離の４〜３０％、クラウン薄肉部のフェース−バック方向距離はクラウン部のフェース−バック方向距離の４０〜９２％、ヒール側サイド薄肉部のフェース−バック方向距離はクラウン部のフェース−バック方向距離の４〜９２％、トウ側サイド薄肉部のフェース−バック方向距離はクラウン部のフェース−バック方向距離の４〜９２％とすることが適当である。上記各部の距離が上記範囲を外れる場合は、十分な打球の打ち出し角が得られないことがある。
【００１５】
本発明のゴルフクラブヘッドにおいて、ソール部は、より大きい打球の打ち出し角を得る点で、フェース側にフェース側ソール厚肉部を有し、このフェース側ソール厚肉部のバック側端部に隣接してフェース側ソール厚肉部よりも厚みの薄いソール薄肉部を有することが好ましい。
【００１６】
また、本発明のゴルフクラブヘッドにおいて、ソール部は、より低重心、深重心とし、より大きい打球の打ち出し角を得る点で、バック側にバック側ソール厚肉部を有し、このバック側ソール厚肉部のフェース側端部に隣接してバック側ソール厚肉部よりも厚みの薄いソール薄肉部を有することが好ましい。
【００１７】
上記フェース側ソール厚肉部の厚みは０．７〜１０．０ｍｍ、特に１．０〜５．０ｍｍ、上記バック側ソール厚肉部の厚みは０．７〜１０．０ｍｍ、特に１．０〜５．０ｍｍ、上記ソール薄肉部の厚みは０．３〜２．０ｍｍ、特に０．５〜１．５ｍｍとすることが好ましい。
【００１８】
また、フェース側ソール厚肉部のフェース−バック方向距離はソール部のフェース−バック方向距離の４〜３０％、バック側ソール厚肉部のフェース−バック方向距離はソール部のフェース−バック方向距離の４〜６６％、ソール薄肉部のフェース−バック方向距離はソール部のフェース−バック方向距離の４〜９２％とすることが適当である。
【００１９】
本発明のゴルフクラブヘッドにおいて、サイド部は、サイド厚肉部のバック側に厚みがサイド厚肉部の他の部分よりも厚いサイド加重厚肉部を有することが好ましい。これにより、重心位置をさらに最適な位置に設計することができる。
【００２０】
上記サイド加重厚肉部の厚みは０．７〜１０．０ｍｍ、特に１．０〜５．０ｍｍとすることが好ましい。また、サイド加重厚肉部のヒール−トウ方向距離はクラウン部のヒール−トウ方向距離の３〜８０％とすることが適当である。
【００２１】
本発明では、ソール部の適宜位置に、ソール部の材料とは比重の異なる材料からなる単数または複数のネジを取り付けることができる。また、本発明では、サイド部の適宜位置に、サイド部の材料とは比重の異なる材料からなる単数または複数のネジを取り付けることができる。上記のようにネジを用いると、重心位置をさらに最適な位置に設計することができる。この場合、１つのネジの質量は０．５〜５０ｇとすることが好ましい。
【００２２】
本発明のゴルフクラブは、より大きい打球の打ち出し角を得る点で、ソール部の剛性をクラウン部の剛性より高くすることが好ましい。具体的には、ソール部の剛性とクラウン部の剛性との比を１：０．１〜０．８、特に０．２〜０．６とすることが適当である。
【００２３】
この場合、剛性とは、下記式（ｘ）により求められる値をいう。
【００２４】
剛性（単位：ＭＰａ・ｍｍ４）＝Ｅ×Ｉ  …（ｘ）
Ｅ：ヤング率（単位：ＭＰａ）
Ｉ：断面２次モーメント（単位：ｍｍ４）
ヤング率Ｅはゴルフクラブヘッドの構成部分の材料に依存し、断面２次モーメントＩはゴルフクラブヘッドの構成部分の厚みに依存する。構成部分の厚みが同じであれば、剛性の比はヤング率Ｅの大きさの比で決定される。構成部分の材料が同じであれば、剛性の比は厚みの比の３乗の値で決定される。
【００２５】
また、本発明のゴルフクラブは、より大きい打球の打ち出し角を得る点で、ソール部の剛性をサイド部の剛性より高くすることが好ましい。具体的には、ソール部の剛性とサイド部の剛性との比を１：０．１〜０．８、特に０．２〜０．６とすることが適当である。
【００２６】
本発明のゴルフクラブヘッドの製造方法に限定はないが、例えば、ヘッド本体のフェース開口部をフェース部材で閉塞することによって製造することができる。この場合、ヘッド本体の材質や成形方法に限定はないが、材質としてはチタン、チタン合金、ステンレス鋼、アモルファス等を使用することができ、成形方法としては鋳造法を用いることができる。本発明では、ヘッド本体のクラウン部およびサイド部は厚肉部および薄肉部を有する複雑な形状であるため、少なくともクラウン部およびサイド部は鋳造法で作製することが好ましい。また、ソール部に厚肉部および薄肉部を設ける場合は、ソール部も鋳造法で作製することが好ましい。フェース部材の材質や成形方法も特に限定されないが、材質としてはチタン、チタン合金、ステンレス鋼、アモルファス等を使用することができ、成形方法としては鍛造法、板材をプレス加工するプレスフォーミング法またはダイキャスト法が適当である。本発明において、フェース部材としては、中心部に最大厚みを有する領域を有し、この最大厚みを有する領域の外側に厚みが漸次薄くなる傾斜部を有するものを好適に用いることができる。
【００２７】
また、ヘッド本体とフェース部材との接合方法に限定はないが、接合箇所をきれいに仕上げる点、ゴルフクラブヘッドの重量精度を高める点などで、プラズマ溶接、レーザ溶接または電子ビーム溶接により接合すること、特にプラズマ溶接が好適である。この場合、プラズマ溶接としては、プラズマアークによる高温エネルギーで被溶接材料を溶解して再凝固させ、溶接を行う公知のプラズマ溶接を使用することができる。レーザ溶接としては、ＣＯレーザ、ＣＯ２レーザ等の気体レーザや、ＹＡＧレーザ等の固体レーザを用いた公知のレーザ溶接を使用することができる。電子ビーム溶接としては、適宜出力の電子ビームを用いた公知の電子ビーム溶接を使用することができる。
【００２８】
本発明のゴルフクラブヘッドは、ヘッド体積を１００〜２５０ｃｍ３、ヘッド質量を１９５〜２５０ｇに形成する。本発明のゴルフクラブヘッドは、主にフェアウエイウッド用のゴルフクラブヘッドとして使用される。
【発明の効果】
【００２９】
本発明の中空ゴルフクラブヘッドは、打球の打ち出し角が大きく、飛距離が増大するものである。
【００３０】
［実験例］
ここで、上述した本発明の効果を実証する実験例を示す。図１はゴルフクラブヘッド全体の剛性（ボディ剛性）、クラウン部の剛性（クラウン剛性）、ソール部の剛性（ソール剛性）をそれぞれ変化させた場合における打球の打ち出し角およびバックスピン量の変化を示すグラフである。図１において、試料記号１ａはボディ剛性をノーマルの１０倍にしたもの、１ｂはボディ剛性をノーマル（１倍）にしたもの、１ｃはボディ剛性をノーマルの０．５倍にしたもの、１ｄはボディ剛性をノーマルの０．１倍にしたもの、２ａはクラウン剛性をノーマルの１０倍にしたもの、２ｂはクラウン剛性をノーマル（１倍）にしたもの、２ｃはクラウン剛性をノーマルの０．５倍にしたもの、２ｄはクラウン剛性をノーマルの０．１倍にしたもの、３ａはソール剛性をノーマルの１０倍にしたもの、３ｂはソール剛性をノーマル（１倍）にしたもの、３ｃはソール剛性をノーマルの０．５倍にしたもの、３ｄはソール剛性をノーマルの０．１倍にしたもの、４はクラウン剛性をノーマルの０．５倍にし、ソール剛性をノーマルの１０倍にしたもの、５はクラウン剛性をノーマルの１０倍にし、ソール剛性をノーマルの０．５倍にしたものを示す。図１の結果より、クラウン部の剛性を低くし、ソール部の剛性を高くした場合は、打球の打ち出し角が大きくなることがわかる。
【００３１】
図２はボディ剛性、クラウン剛性、ソール剛性をそれぞれ変化させた場合における打球の初速度の変化を示すグラフであリ、打球の打ち出し角を大きくする本発明との比較のためのグラフである。図２において、試料記号１ａ〜１ｄ、２ａ〜２ｄ、３ａ〜３ｄ、４、５はそれぞれ前記と同じものを示す。図２の結果より、クラウン部およびソール部の両方の剛性を低くした場合は、ボール初速度が大きくなることがわかる。
【００３２】
図３はゴルフクラブヘッドのクラウン部の剛性を部分的に変化させるとともに、サイド部の剛性を小さくした場合における打球の打ち出し角の変化を示すグラフである。図３における試料記号は、下記表１に記載した試料を示す。これらの試料は、図５に示すクラウン部の各領域（１）、（２）、（３）およびサイド部の剛性を表１のように設定したものである。図３の結果より、サイド部の剛性をある程度小さくした場合には、打球の打ち出し角を大きくする効果が得られること、一方、サイド部の剛性を小さくしすぎた場合には、打球の打ち出し角を大きくする効果は得られないことがわかる。
【００３３】
【表１】
0004758177.tif 000002
【００３４】
図４はゴルフクラブヘッドのクラウン部の剛性を部分的に変化させるとともに、サイド部の剛性を小さくした場合における打球の初速度の変化を示すグラフである。図４における試料記号は、前記表１に記載した試料を示す。図４の結果より、上述した打ち出し角と同様に、サイド部の剛性をある程度小さくした場合には、打球の初速度を大きくする効果が得られること、一方、サイド部の剛性を小さくしすぎた場合には、打球の初速度を大きくする効果は得られないことがわかる。
【発明を実施するための最良の形態】
【００３５】
以下、本発明の実施の形態を図面を参照して説明するが、本発明は下記例に限定されるものではない。図６は本発明に係るゴルフクラブヘッドの一実施形態を示す縦断面図、図７は同ゴルフクラブヘッドの横断面図、図８は同ゴルフクラブヘッドのフェース部材の横断面図である。
【００３６】
本例のゴルフクラブヘッド１０は、ソール部１２、クラウン部１４、サイド部１６およびホゼル部１８を有するヘッド本体２０のフェース開口部にフェース部材２２をプラズマ溶接により固着したもので、ヘッド本体２０の材質は６−４Ｔｉ（Ｔｉ−６Ａｌ−４Ｖ）、フェース部材２２の材質は１５−５ステンレススチール（１５Ｃｒ−５Ｎｉ−３Ｃｕ−Ｎｂ−Ｆｅ）である。また、本例のゴルフクラブヘッド１０は、ヘッド体積が１４０〜１７０ｃｍ３程度、ヘッド質量が２０５〜２２５ｇ程度のフェアウエイウッド用ゴルフクラブヘッドに形成されている。
【００３７】
本例のゴルフクラブヘッド１０において、クラウン部１４は、周縁部に全周にわたるリング状のクラウン厚肉部１４ａ、１４ｂを有するとともに、上記クラウン厚肉部１４ａ、１４ｂの内側にクラウン厚肉部１４ａ、１４ｂよりも厚みの薄いクラウン薄肉部１４ｃを有する。本例では、フェース側に存在するクラウン厚肉部をフェース側クラウン厚肉部１４ａといい、バック側に存在するクラウン厚肉部をバック側クラウン厚肉部１４ｂという。
【００３８】
サイド部１６は、ヒール側にヒール側サイド薄肉部１６ａ、トウ側にトウ側サイド薄肉部１６ｂ、上記ヒール側サイド薄肉部１６ａおよびトウ側サイド薄肉部１６ｂ以外の部分にこれら両薄肉部１６ａ、１６ｂよりも厚みの厚いサイド厚肉部１６ｃを有する。また、サイド厚肉部１６ｃのバック側には、厚みがサイド厚肉部１６ｃの他の部分よりも厚いサイド加重厚肉部１６ｄを有する。
【００３９】
ソール部１２は、フェース側にフェース側ソール厚肉部１２ａ、バック側にバック側ソール厚肉部１２ｂ、上記フェース側ソール厚肉部１２ａおよびバック側ソール厚肉部１２ｂ以外の部分にこれら両厚肉部１２ａ、１２ｂよりも厚みの薄いソール薄肉部１２ｃを有する。
【００４０】
本例のゴルフクラブヘッド１０において、フェース側クラウン厚肉部１４ａの厚みは０．８ｍｍ、バック側クラウン厚肉部１４ｂの厚みは０．８ｍｍ、クラウン薄肉部１４ｃの厚みは０．５５ｍｍ、ヒール側サイド薄肉部１６ａの厚みは０．５５ｍｍ、トウ側サイド薄肉部１６ｂの厚みは０．５５ｍｍ、サイド厚肉部１６ｃの厚みは０．７ｍｍ、サイド加重厚肉部１６ｄの厚みは２．０ｍｍ、フェース側ソール厚肉部１２ａの厚みは１．２ｍｍ、バック側ソール厚肉部１２ｂの厚みは２．０ｍｍ、ソール薄肉部１２ｃの厚みは１．０ｍｍである。
【００４１】
また、フェース側クラウン厚肉部１４ａのフェース−バック方向距離Ａはクラウン部１４のフェース−バック方向距離Ｂの１０％、バック側クラウン厚肉部１４ｂのフェース−バック方向距離Ｃはクラウン部１４のフェース−バック方向距離Ｂの８％、クラウン薄肉部１４ｃのフェース−バック方向距離Ｄはクラウン部１４のフェース−バック方向距離Ｂの８２％、ヒール側サイド薄肉部１６ａのフェース−バック方向距離Ｅはクラウン部のフェース−バック方向距離Ｂの２８％、トウ側サイド薄肉部１６ｂのフェース−バック方向距離Ｆはクラウン部１４のフェース−バック方向距離Ｂの４８％、サイド加重厚肉部１６ｄのヒール−トウ方向距離Ｇはクラウン部１４のヒール−トウ方向距離Ｈの７０％、フェース側ソール厚肉部１２ａのフェース−バック方向距離Ｉはソール部１２のフェース−バック方向距離Ｊの１８％、バック側ソール厚肉部１２ｂのフェース−バック方向距離Ｋはソール部１２のフェース−バック方向距離Ｊの４５％、ソール薄肉部１２ｃのフェース−バック方向距離Ｌはソール部のフェース−バック方向距離Ｊの２７〜３７％である。
【００４２】
また、本例のゴルフクラブヘッド１０のフェース部材２２は、図８に示すように、中心部に最大厚み（２．７ｍｍ）を有する正面視楕円形の領域２２ａが存在し、この領域２２ａの外側に厚みが漸次薄くなる正面視楕円形の傾斜部２２ｂが存在し、この傾斜部２２ｂの外側に最小厚さ（約１．９ｍｍ）を有する領域２２ｃが存在するものである。
【００４３】
本例のゴルフクラブヘッド１０において、ソール部１２の剛性とクラウン部１４の剛性との比は１：０．４、ソール部１２の剛性とサイド部１６の剛性との比は１：０．４である。
【００４４】
なお、本例のゴルフクラブヘッド１０は、ソール部１２あるいはサイド部１６の適宜位置に、ソール部１２あるいはサイド部１６の材料とは比重の異なる材料（例えばタングステン）からなる単数または複数のネジを取り付けることができる。
【図面の簡単な説明】
【００４５】
【図１】ゴルフクラブヘッドのボディ剛性、クラウン剛性、ソール剛性をそれぞれ変化させた場合における打球の打ち出し角およびバックスピン量の変化を示すグラフである。
【図２】ゴルフクラブヘッドのボディ剛性、クラウン剛性、ソール剛性をそれぞれ変化させた場合における打球の初速度の変化を示すグラフである。
【図３】ゴルフクラブヘッドのクラウン部の剛性を部分的に変化させるとともに、サイド部の剛性を小さくした場合における打球の打ち出し角の変化を示すグラフである。
【図４】ゴルフクラブヘッドのクラウン部の剛性を部分的に変化させるとともに、サイド部の剛性を小さくした場合における打球の初速度の変化を示すグラフである。
【図５】クラウン部の各領域を示す図である。
【図６】本発明に係るゴルフクラブヘッドの一実施形態を示す縦断面図である。
【図７】同ゴルフクラブヘッドの横断面図である。
【図８】同ゴルフクラブヘッドのフェース部材の横断面図である。
【符号の説明】
【００４６】
１０    ゴルフクラブヘッド
１２    ソール部
１２ａ  フェース側ソール厚肉部
１２ｂ  バック側ソール厚肉部
１２ｃ  ソール薄肉部
１４    クラウン部
１４ａ  フェース側クラウン厚肉部
１４ｂ  バック側クラウン厚肉部
１４ｃ  クラウン薄肉部
１６    サイド部
１６ａ  ヒール側サイド薄肉部
１６ｂ  トウ側サイド薄肉部
１６ｃ  サイド厚肉部
１６ｄ  サイド加重厚肉部
１８    ホゼル部
２０    ヘッド本体
２２    フェース部材
【図１】
0004758177.tif 000003
【図２】
0004758177.tif 000004
【図３】
0004758177.tif 000005
【図４】
0004758177.tif 000006
【図５】
0004758177.tif 000007
【図６】
0004758177.tif 000008
【図７】
0004758177.tif 000009
【図８】
0004758177.tif 000010